(57)【要約】【課題】  床に設けたフロアコンセントから光ケーブル接続部を備えたＰＣ等の通信端末のような機器に光配線することができる。光ケーブルの芯線である光ファイバーの余長部分における断線を防止して床下空間に収納できる。【解決手段】  床１に形成した開口部２に取付けられるフロアコンセント３に光ケーブル用の光コンセント部４を設ける。フロアコンセント３に床１の下方の床下空間５に配線され且つ端部が上記光コンセント部４に接続される光ケーブル６の余長部分７を巻き取るためのリール８を備える。【選択図】        図１
2005073365.tif 000002
【特許請求の範囲】
【請求項１】
床に形成した開口部に取付けられるフロアコンセントに光ケーブル用の光コンセント部を設けると共に、フロアコンセントに床の下方の床下空間に配線され且つ端部が上記光コンセント部に接続される光ケーブルの余長部分を巻き取るためのリールを備えて成ることを特徴とする床配線装置。
【請求項２】
フロアコンセントの上部開口部の開口平面と平行でない側面から外側方に向けて突出する取付け板にリールを取付けて成ることを特徴とする請求項１記載の床配線装置。
【請求項３】
取付け板にケーブルを保持するための張力止め具を設けて成ることを特徴とする請求項２記載の床配線装置。
【請求項４】
フロアコンセントの光コンセント部を保持するための取付け片にリールを備えた取付け板を取付けて成ることを特徴とする請求項２又は請求項３記載の床配線装置。
【発明の詳細な説明】
【技術分野】
【０００１】
本発明は、光ケーブル用の光コンセント部を備えた床配線装置に関するものである。
【背景技術】
【０００２】
従来から床配線装置として床に形成した開口部に取付けられるフロアコンセントが知られている。（例えば、特許文献１参照）
上記のような従来例のフロアコンセントは、蓋を開閉自在に取付けた開口枠と、開口枠に取付けたボックス部と、ボックス部に設けた金属線用コンセント部とから構成してあり、ボックス部を床に形成した開口部から床下空間内に挿入すると共に床に形成した開口部の上面側に開口枠を載置し、この状態で開口枠を床に固定してある。金属線用コンセント部には床下空間に配線された電源線、情報線等の金属線を接続してある。そして、床下空間に配線した金属線と金属線コンセント部との接続は床下空間にあらかじめ配線した金属線の端部を床に形成した開口部から床上に引出し、床上空間で金属線の最先端を金属線コンセント部に接続し、金属線の余長部分は束ねて開口部から床下空間に差し入れて床下空間に収納している。
【０００３】
ところで、近年、通信速度の向上に伴い光ファイバーを芯線としてた光ケーブルが主流となりつつあり、現在、通信インフラを提供している通信インフラ提供会社によって各住宅までの光ケーブルの敷設工事が整いつつある。また、光が直接取り込めるメディアコンバータ付きＰＣや、メディアコンバータ付きＰＣカードの登場で、事務所等ではデスクまで直接光ケーブルを敷設するケースも出始めている。今後コンテンツが充実し、通信速度が向上すれば、ＰＣ等の通信端末のような機器側も光ファイバーを芯線とする光ケーブルに対応するようになり、住宅でも各部屋に光コンセントが必要となる。
【０００４】
しかしながら、従来のフロアコンセントにおいては金属線コンセント部しか設けてなかったので、このような光ケーブルに直接対応したＰＣ等の通信端末のような機器にはフロアコンセントから光配線を行うことができないのが現状である。
【０００５】
そこで、フロアコンセントに光ケーブル用の光コンセント部を設けることが考えられる。しかしながら、光ファイバーよりなる芯線の外周を外皮で被覆した光ケーブルは、芯線である光ファイバーの許容曲げ半径が決まっており、この許容曲げ半径以下に光ファイバーを曲げると折れて断線するという光ファイバーに特有な問題があり、従来の金属線の余長部分を束ねるように芯線が光ファイバーよりなる光ケーブルの余長部分を束ねて床下に収納すると、この許容曲げ半径以下に曲げられて光ケーブルの芯線である光ファイバーが折れて断線するという問題がある。
【０００６】
また、光ケーブルの余長部分の処理をするためにフロアコンセントのボックス部の側面から側方に突出したプレートの両側縁に立壁を形成し、光ケーブルの余長部分を巻回してこの巻回部分をプレート上面部に配置することにより、外に広がろうとする巻回部分をプレート両側縁の立壁によってその拡がりをおさえて余長部分を巻回状態でプレート上に保持することが考えられるが、このようなものにおいては立壁の外への光ケーブルのはみ出しを防止して余長部分をコンパクトに処理できるが、光ケーブルを巻回す際に光ケーブルの芯線である光ファイバーの許容曲げ半径よりも小さく曲げられることがあり、この場合も、折れて断線する恐れがある。
【特許文献１】特開平６−７８４３４号公報
【発明の開示】
【発明が解決しようとする課題】
【０００７】
本発明は上記の従来の問題点に鑑みて発明したものであって、床に形成したフロアコンセントからＰＣ等の通信端末のような機器に光配線することができ、しかも、光ケーブルの芯線である光ファイバーの余長部分における断線を防止して床下空間に収納できる床配線装置を提供することを課題とするものである。
【課題を解決するための手段】
【０００８】
上記課題を解決するために本発明に係る床配線装置は、床１に形成した開口部２に取付けられるフロアコンセント３に光ケーブル用の光コンセント部４を設けると共に、フロアコンセント３に床１の下方の床下空間５に配線され且つ端部が上記光コンセント部４に接続される光ケーブル６の余長部分７を巻き取るためのリール８を備えて成ることを特徴とするものである。
【０００９】
このようにフロアコンセント３に光コンセント部４を設けることで、床上空間に配置する機器にフロアコンセント３から光配線でき、また、光ケーブル６の余長部分をフロアコンセント３に備えたリール８に巻き付けることで、フロアコンセント３部分で光ケーブル６の余長部分７の処理ができると共に、光ケーブル６がリール８の巻き部分の半径以下に小さく曲げられることがなく、したがって、リール８の巻き部分の半径を光ケーブル６の芯線である光ファイバーの許容曲げ半径以上とすることで、光ファイバーの余長部分の断線を防止できるものである。
【００１０】
また、フロアコンセント３の上部開口部の開口平面と平行でない側面から外側方に向けて突出する取付け板９にリール８を取付けることが好ましい。
【００１１】
このような構成とすることで、光ケーブル６の余長部分７をフロアコンセント３に装備したリール８に巻装した状態でフロアコンセント３と共に床下空間５内に配置して収納できて、光ケーブル６の余長部分が許容曲げ半径以下に折れ曲がったりするのを防止でき、特に、フロアコンセント３の上部開口部の開口平面と平行でない側面から外側方に向けて突出する取付け板９にリール８を取付けるので、床１に設けた開口部２から床下空間５に配線した光ケーブル６の先端部を床上空間に引出し、床上空間で光ケーブル６の余長部分をリール８に巻き取った状態で床１に形成した開口部２から床下空間５にフロアコンセント３と共にリール８を取付けた取付け板９を挿入して床下空間５内に収納できて、作業が簡略化するものである。
【００１２】
また、取付け板９に光ケーブル６を保持するための張力止め具１０を設けることが好ましい。
【００１３】
このような構成とすることで、光ケーブル６の余長部分をリール８に巻く際に光ケーブル６の床下空間５内に配線した余長部分以外の部分に張力がかからない状態でリール８に余長部分を巻装することができるものであって、巻装作業が容易で且つ断線しないように巻装作業ができるものであり、また、光ケーブル６に何らかの外力が作用した場合も、張力止め具１０部分で張力止めができるので、光ケーブル６のリール８に巻装した部分に張力がかからないようにできるものである。
【００１４】
また、フロアコンセント３の光コンセント部４を保持するための取付け片２０にリール８を備えた取付け板９を取付けることが好ましい。
【００１５】
このような構成とすることで、光コンセント部４を保持するための取付け片２０を利用してリール８を備えた取付け板９を取付けることができて、フロアコンセント３へのリール８を備えた取付け板９の取付け構成が簡略化できると共に、リール８を光コンセント部４に近づけて配置できて余長部分をリール８に巻き取った光ケーブル６の先端部を弛みなどが生じないようにして光コンセント部４に接続できて光ケーブル６に弛みが生じることによる折れ曲り等を防止して断線が生じないようにできるものである。
【発明の効果】
【００１６】
本発明は、フロアコンセントに光コンセント部を設けることで、床上空間に配置する機器にフロアコンセントから光配線でき、また、光ケーブルの余長部分をフロアコンセントに備えたリールに巻き付けることで、フロアコンセント部分で光ケーブルの余長部分の処理ができると共に、光ケーブルがリールの巻き部分の半径以下に小さく曲げられることがなく、したがって、リールの巻き部分の半径を光ケーブルの芯線である光ファイバーの許容曲げ半径以上とすることで、光ファイバーの余長部分の断線を防止できるものであり、これにより光配線に対応できる床配線装置を提供することができる。
【発明を実施するための最良の形態】
【００１７】
以下、本発明を添付図面に示す実施形態に基いて説明する。
【００１８】
図１乃至図３には本発明の床配線装置の主体を構成するフロアコンセント３が示してある。フロアコンセント３は開口枠１１と、開口枠１１に開閉自在に取付けて開口枠１１の開口を開閉自在とする蓋５０と、開口枠１１に取付けられて下方に突出する取付け部１３と、取付け部１３に取付けられるコンセント部Ａと、床１への固定手段１４と、開口枠１１内に嵌め込まれる上方に開口し且つ側面にコンセント部Ａが臨む窓部１５を設けた箱状をした内カバー１６とで構成してある。
【００１９】
取付け部１３は主取付け部１７と副取付け部１８とで構成してある。主取付け部１７は横向きの底部片１９の一側端部から斜め上外側方に向けて傾斜した取付け片２０を突出し、取付け片２０の両端部から上方に支持脚片２１を突出して構成してある。支持脚片２１の上端部を開口枠１１の内周の全周を内側に段落して形成した蓋受け周段部１１ａに固着することで主取付け部１７を開口枠１１に固着してあり、この主取付け部１７の固着状態で取付け片２０が開口枠１１の一辺の略下方に位置すると共に開口枠１１の開口の下方位置に底部片１９が位置している。取付け片２０には取付け用開口（図示せず）が設けてあって、この取付け用開口にコンセント部Ａをはめ込んで取付けるようになっている。取付け片２０の取付け用開口の両側には取付け孔（図示せず）が設けてある。
【００２０】
底部片１９の両側端には下横片２３が固着してあり、下横片２３の側端から上方に向けて垂直な当たり片２４が突設してある。開口枠１１の蓋受け周段部１１ａに設けた孔に上方から長ボルト２５が挿入してあり、長ボルト２５の下端部が下横片２３に設けた孔に挿入されるとともに抜け止めされており、これにより長ボルト２５は蓋受け周段部１１ａの上面側に位置する頭部に設けたプラス又はマイナス溝にドライバー等の回転操作治具を挿入して回転することで回転は自在であるが、上下方向には移動しないようになっている。長ボルト２５には挟持部材２６が回転自在に螺合してある。そして、長ボルト２５を回転操作すると長ボルト２５と共に挟持部材２６が供回りするが直ぐに当たり片２４に当たって先端部が外側方に突出した状態で供回りが防止され、この状態で更に長ボルト２５を回転すると挟持部材２６が上方に移動し、挟持部材２６と開口枠１１とで床１の開口部２の縁を上下から挟持して固定できるようになっている。したがって、上記長ボルト２５、挟持部材２６、当たり片２４、開口枠１１により床１への固定手段１４が構成してある。
【００２１】
副取付け部１８は取付け用開口を有する斜め上方に傾斜した取付け片２７の上下に上下取着片２８、２９が設けてあり、取付け片２７の取付け用開口にコンセント部Ａをはめ込んで取付けるようになっている。この副取付け部１８は上取着片２８を開口枠１１の蓋受け周段部１１ａに引っ掛け係止して取付けると共に下取着片２９を底部片１９の取付け片２０を連出していない３辺のうちの一辺にねじ具等により固着するものである。この副取付け部１８の取付けは後述のようにして開口枠１１に主取付け部１７を取付けた状態のものを床１の開口部２に挿入して固定手段１４で固定した後に、取付けるものである。
【００２２】
上記のようにフロアコンセント３の主取付け部１７、副取付け部１８にコンセント部Ａを装着するのであるが、本発明においては、少なくとも複数のコンセント部Ａのうちいずれかは光配線用の光コンセント部４を取付け、また、フロアコンセント３に光コンセント部４に接続される光ケーブル６の余長部分７を巻き取るためのリール８を設けることに特徴がある。
【００２３】
添付図面に示す実施形態において光コンセント部４を主取付け部１７に取付けた例が示してある。光コンセント部４には後面側に開口するレセプタクル４ａと、前面側に開口するレセプタクル４ｂとを設けてある。
【００２４】
取付け板９は横片３０の一側端から上方に上向き片３１を突設して構成してあって略Ｌ状をしており、添付図面に示す実施形態では上向き片３１は主取付け部１７の取付け片２０と同じ傾斜をしており、また、取付け片２０に装着するコンセント部Ａである光コンセント部４を挿通できる開口が設けてあり、また、開口の両側にねじ孔を設けてある。そして、図４に示すように主取付け部１７の取付け片２０の外面に略Ｌ字状をした取付け板９の上向き片３１を当接して取付け片２０に設けた孔からねじ具を挿入して取付け板９の上向き片３１のねじ孔に螺着することで取付け板９をフロアコンセント３の一側面を構成する主取付け部１７の取付け片２０の外面に取付けてあって、この状態で横片３０がフロアコンセント３の一側面を構成する主取付け部１７の取付け片２０から外側方に向けて突出している。
【００２５】
取付け板９の横片３０の上面にはリール８を横向けにして取付けてある。添付図面に示す実施形態ではリール８は固定部３２と、固定部３２に対して移動自在に取付けられたリール部３３とで構成してある。固定部３２は横片３０にねじにより固着してあり、固定部３２の外周には複数のガイド片３４が上方に向けて突設してあり、更に固定部３２の外周には複数のＬ状片３５が外側方に向けて突出してある。リール部３３は環状をした巻き胴部３３ａの両側に鍔部３３ｂを設けたものである。そして、上記ガイド片３４でリール部３３をガイドすることでリール部３３が固定部３２に対して移動可能となっている。
【００２６】
ここで、図５（ａ）（ｂ）に示すように巻き胴部３３ａの内周はガイド片３４に沿ってガイドされるのであるが、複数のガイド片３４のうち少なくとも幾つかのガイド片３４は巻き胴部３３ａの内周に設けたガイド孔４９に移動自在に嵌め込まれていてリール部３３が固定部３２に対して近ずいたり離れたりする方向には移動できるが周方向には回転できないようになっている。また、別のガイド片３４には先端に係止部３７が設けてあり、巻き胴部３３ａの内周の固定部３２に近い方の端部に設けた第１の被係止部３８と、固定部３２に遠い方の端部に設けた第２の被係止部３９とに上記係止部３７が係止自在となっている。
【００２７】
リール部３３の両鍔部３３ｂのうち固定部３２に近い方の鍔部３３ｂはＬ状片３５に対応する部分が切除してあって切除部１２となっており、リール部３３をガイド片３４に沿って移動してリール部３３が固定部３２に最も近づいた状態で係止部３７が第２被係止部３９に係止し、この状態でＬ状片３５の基部側片３５ａが切除部１２に嵌り込みむと共に基部側片３５ａに対して直角となった先端片３５ｂが他方の鍔部３３ｂの内面の周端に当接するようになっている（図５（ａ）参照）。一方、リール部３３をガイド片３４に沿って上記と逆に移動してリール部３３が固定部３２から最も遠ざかった状態で係止部３７が第１被係止部３８に係止してリール部３３が固定部３２から外れないようになっている（図５（ｂ）参照）。
【００２８】
リール部３３の環状をした巻き胴部３３ａの外周の半径は使用する光ケーブル６の芯線である光ファイバーの許容曲げ半径以上に設定してある。
【００２９】
取付け板９の横片３０の上面の先端部付近には光ケーブル６を保持するための張力止め具１０が設けてある。
【００３０】
上記のような構成の光コンセント部４に接続される光ケーブル６の余長部分７を巻き取るためのリール８を備えたフロアコンセント３の施工に当たっては以下のようにして行うものである。
【００３１】
すなわち、スラブのような床基材４１の上方に床下空間５を介して形成した床１に開口部２を形成し、この開口部２に上記フロアコンセント３をはめ込んで取付けるのであるが、この場合、まず図６に示すように床下空間５に配線した光ケーブル６を床１の開口部２から床上空間に引出す。次に、図７のように光ケーブル６の開口部２から引出した余長部分７の付け根部分（つまり、開口部２から引出した光ケーブル６の余長部分７の開口部２のすぐ近くの部分）をフロアコンセント３に取付けた取付け板９の張力止め具１０に保持させる。次に、リール部３３を固定部３２から離れるように移動させて上方に突出させた状態で、リール部３３に光ケーブル６の余長部分７を巻き、次に、図８のように光ケーブル６の先端の光用プラグ４２を光コンセント部４の後面側に開口するレセプタクル４ａにはめ込んで接続する。このようにして光ケーブル６の余長部分７をリール部３３に巻装することで余長部分７の処理を行うのであるが、この時、光ケーブル６はリール部３３の巻き胴部３３ａの半径以下に小さく曲げられることがなく、したがって、巻き胴部３３ａの外周の半径を使用する光ケーブル６の芯線である光ファイバーの許容曲げ半径以上に設定することで、余長部分７の処理に当たって余長部分７が折れて断線したりすることがないものである。
【００３２】
リール部３３への巻き取りが終わるとリール部３３を固定部３２に近づくように移動させて係止部３７を第２被係止部３９に係止すると共にＬ状片３５の先端片３５ｂを他方の鍔部３３ｂの内面の周端に当接してリール部３３に巻装した光ケーブル６の余長部分７がリール部３３の外方にはみ出さないようにしている。
【００３３】
ここで、光ケーブル６の先端部にはあらかじめ光用プラグ４２が設けてあるものであってもよく、また、現場で、光ケーブル６の先端部の外皮を剥いて芯線である光ファイバーを露出させ、この光ケーブル６の先端の光ファイバー部分に光用プラグ４２を取付けるようにしてもよい。
【００３４】
このように光ケーブル６の余長部分をリール８に巻装して断線しないようにした状態で、フロアコンセント３を図９のように取付け板９が先となるように斜めにした状態で床１に設けた開口部２に上方から斜め下方に向けて挿入し、フロアコンセント３の開口枠１１より下方の部位を床下空間５に配置した状態で開口枠１１を床１の開口部２の上縁外周の部分に載置する。この状態で長ボルト２５の頭部のプラス又はマイナス溝にドライバー等の回転操作治具を挿入して回転し、挟持部材２６を上方に移動させて挟持部材２６と開口枠１１とで床１の開口部２の縁を上下から挟持して固定することで、図１０に示すようにフロアコンセント３を床１に固定する。
【００３５】
フロアコンセント３に電源線、情報線等の他の芯線が金属線である金属ケーブルの配線のための他の金属線用コンセント部４４を取付ける場合には、上記光ケーブル６の端部を床１の開口部２から床上空間に引出した際に、同時に床下空間５に配線している電源線、情報線等の他の金属ケーブル（図示せず）を開口部２から床上空間にあらかじめ引出しておき、上記のように光ケーブル６の余長部分７をリール８に巻装して断線しないようにした状態でフロアコンセント３を開口部２から挿入して床１に固定した状態で、あらかじめ床上空間に引出している金属ケーブルの先端部を副取付け部１８に取付けた金属線用コンセント部４４の後面部の接続部に接続し、その後、副取付け部１８を開口枠１１の開口から内部に入れて、上取着片２８を開口枠１１の蓋受け周段部１１ａに引っ掛け係止して取付けると共に下取着片２９を主取付け部１７の底部片１９に取付ける（図１１参照）。この場合、図を省略しているが余剰の金属ケーブルは開口枠１１と底部片１９との間の隙間から床下空間５に入れる。このようにして１乃至３個の副取付け部１８を取付けるのであるが、金属ケーブルは折り曲げても断線したりしないので、上記のように余長部分をそのまま又は束ねて床下空間５に押し入れて収納しても断線のおそれなどない。次に、開口枠１１の開口から上方が開口したボックス形状をした内カバー１６をはめ込んで内カバー１６の底面部を底部片１９にねじ具により取付ける。ここで、内カバー１６の側面には開口部１５が設けてあってコンセント部Ａの前端部が該開口部１５に臨んでいる。そして、最後に開口枠１１に蓋５０を着脱自在に取付けるものである。
【００３６】
蓋５０の一部には上下反転して着脱自在な小蓋部５１が設けてあり、この小蓋部５１を上下反転して蓋５０に取付けると、床上空間とフロアコンセント３内を連通するケーブル引出し部５２が露出するようになっている。
【００３７】
上記のように床１の開口部２に取付けたフロアコンセント３を用いて床上空間（つまり室内）に配置した各種機器に対して光ケーブルによる光配線を行う場合、機器に接続する光ケーブルの端部に設けたプラグをフロアコンセント３に設けた光コンセント部４の前面側に開口するレセプタクル４ｂに接続するものである。なお、機器に対して金属ケーブルによる配線を行う場合は機器に接続する金属ケーブルの端部に設けたプラグをフロアコンセント３に設けた金属線用コンセント部４４に接続するものである。そして、これら光ケーブルや金属ケーブルはフロアコンセント３内から小蓋部５１のケーブル引出し部５２を通して床上空間に引出すものである。
【００３８】
なお、ケーブル引出し部５２には切り込みを設けたクッション材を充填してクッション材の切り込み部分から光ケーブルや金属ケーブルを引き出すようにしてもよい。
【図面の簡単な説明】
【００３９】
【図１】本発明の床配線装置の平面図である。
【図２】同上の側面図である。
【図３】同上の分解斜視図である。
【図４】同上に用いるリールを設けた取付け板を主取付け部に取着した状態の斜視図である。
【図５】同上に用いるリールを示し、（ａ）はリール部を固定部に近づけた状態のリールの斜視図であり、（ｂ）はリール部を固定部から離した状態のリールの斜視図である。
【図６】同上の施工順序を示す説明図である。
【図７】同上の施工順序を示す説明図である。
【図８】同上の施工順序を示す説明図である。
【図９】同上の施工順序を示す説明図である。
【図１０】同上の施工順序を示す説明図である。
【図１１】同上の施工順序を示す説明図である。
【符号の説明】
【００４０】
１  床
２  開口部
３  フロアコンセント
４  光コンセント部
５  床下空間
６  光ケーブル
７  余長部分
８  リール
９  取付け板
１０  張力止め具
【図１】
2005073365.tif 000003
【図２】
2005073365.tif 000004
【図３】
2005073365.tif 000005
【図４】
2005073365.tif 000006
【図５】
2005073365.tif 000007
【図６】
2005073365.tif 000008
【図７】
2005073365.tif 000009
【図８】
2005073365.tif 000010
【図９】
2005073365.tif 000011
【図１０】
2005073365.tif 000012
【図１１】
2005073365.tif 000013